(57)【要約】【課題】燃料カットからの復帰時における火花点火燃焼の着火性を向上させる。【解決手段】エンジン１は、インジェクタ６７と、点火プラグ２５と、ＶＶＬ７１及び排気弁２２と、ＰＣＭ１０とを備えている。ＰＣＭ１０は、アクセルがオフの状態におけるエンジン１の減速時に燃料噴射を停止して燃料カットを実行し、エンジン回転数が所定値まで低下したときに燃料噴射を再開させるように構成されており、燃料カット中は、ＶＶＬ７１及び排気弁２２を作動させることによりＥＧＲガスを気筒１８内に導入し、燃料噴射を再開させるときには、ＶＶＬ７１及び排気弁２２を作動させつつ点火プラグ２５を作動させて火花点火燃焼によりエンジン１を運転した後、圧縮着火燃焼によるエンジン１の運転に移行する。【選択図】図７
2014051934.tif 000002
【特許請求の範囲】
【請求項１】
気筒を有するエンジン本体と、
前記気筒内に燃料を噴射するように構成された燃料噴射弁と、
前記気筒内に臨んで配設され、該気筒内の混合気に点火するように構成された点火プラグと、
排気ガスを前記気筒内に導入するように構成された排気還流機構と、
少なくとも前記燃料噴射弁、前記点火プラグ及び前記排気還流機構を制御することによって前記エンジン本体を運転するように構成された制御器とを備え、
前記制御器は、
少なくとも前記エンジン本体の運転状態が所定の低負荷領域にあるときに、前記気筒内の混合気を自着火により燃焼させる圧縮着火燃焼を行って前記エンジン本体を運転し、
アクセルがオフの状態における前記エンジン本体の減速時に、前記燃料噴射弁からの燃料噴射を停止して燃料カットを実行し、該エンジン本体の回転数が所定値まで低下したときに該燃料噴射弁の燃料噴射を再開させるように構成されており、
前記燃料カット中に、前記排気還流機構を作動させることにより排気ガスを前記気筒内に導入し、
前記燃料噴射弁の燃料噴射を再開させるときには、前記排気還流機構を作動させつつ前記点火プラグを作動させて火花点火燃焼により前記エンジン本体を運転した後、前記圧縮着火燃焼による該エンジン本体の運転に移行する火花点火式直噴エンジン。
【請求項２】
請求項１に記載の火花点火式直噴エンジンにおいて、
前記排気還流機構は、複数設けられ、
複数の前記排気還流機構は、排気ガスを前記気筒内に導入する方式が互いに異なっており、
前記制御器は、
前記エンジン本体の運転状態が前記所定の低負荷領域にあるときに、前記排気還流機構の少なくとも１つを作動させることにより排気ガスを前記気筒内に導入しており、
前記燃料カット中に作動させる前記排気還流機構を、前記所定の低負荷領域で作動させる前記排気還流機構と同じにする火花点火式直噴エンジン。
【請求項３】
請求項２に記載の火花点火式直噴エンジンにおいて、
前記気筒に開口する排気ポートを開閉する排気弁と、
前記排気弁を駆動する動弁機構とをさらに備え、
前記エンジン本体の運転状態が前記所定の低負荷領域にあるときに作動させる前記排気還流機構は、前記排気弁及び動弁機構であって、該排気弁を排気行程及び吸気行程のそれぞれにおいて開弁させる排気の二度開きを行う火花点火式直噴エンジン。
【請求項４】
請求項１に記載の火花点火式直噴エンジンにおいて、
前記排気還流機構は、複数設けられ、
複数の前記排気還流機構は、排気ガスを前記気筒内に導入する方式が互いに異なっており、
前記制御器は、
前記燃料カット直前に前記排気還流機構の少なくとも１つを作動させていたときには、前記燃料カット中及び前記燃料噴射を再開させる際に作動させる前記排気還流機構を、前記燃料カット直前に作動させていた前記排気還流機構と同じにする火花点火式直噴エンジン。
【発明の詳細な説明】
【技術分野】
【０００１】
ここに開示する技術は、火花点火式直噴エンジンに関するものである。
【背景技術】
【０００２】
例えば、特許文献１に示すように、排気エミッション性能の向上と熱効率の向上とを両立させる技術として、気筒内の混合気を圧縮着火させる燃焼形態が知られている。この圧縮着火燃焼においては、着火性及び安定性を高めるために、気筒内の温度を或る程度高めておく必要がある。
【０００３】
ところが、減速時に燃料カットを行うエンジンにおいては、燃料カット中に気筒内の温度が低下し、燃料供給を再開する際には、圧縮着火を行うことが困難な程度に気筒内温度が低下してしまう場合がある。
【０００４】
そこで、特許文献１に係るエンジンにおいては、燃料カットからの復帰時には、火花点火燃焼を実行して気筒内の温度を上昇させた後に、圧縮着火燃焼に移行するようにしている。
【先行技術文献】
【特許文献】
【０００５】
【特許文献１】特開２００４−３１６５４４号公報
【発明の概要】
【発明が解決しようとする課題】
【０００６】
しかしながら、燃料カットからの復帰時における気筒内温度が低い状況は、火花点火燃焼にとっても好ましいものではなく、改善の余地がある。火花点火燃焼を適切に実行できないと、気筒内温度を十分に上昇させることができず、その後の圧縮着火燃焼の安定化を図ることができない場合も生じ得る。
【０００７】
ここに開示された技術は、かかる点に鑑みてなされたものであり、その目的とするところは、燃料カットからの復帰時における火花点火燃焼の着火性を向上させることにある。
【課題を解決するための手段】
【０００８】
ここに開示された技術は、気筒を有するエンジン本体と、前記気筒内に燃料を噴射するように構成された燃料噴射弁と、前記気筒内に臨んで配設され、該気筒内の混合気に点火するように構成された点火プラグと、排気ガスを前記気筒内に導入するように構成された排気還流機構と、少なくとも前記燃料噴射弁、前記点火プラグ及び前記排気還流機構を制御することによって前記エンジン本体を運転するように構成された制御器とを備えた火花点火式直噴エンジンであって、前記制御器は、少なくとも前記エンジン本体の運転状態が所定の低負荷領域にあるときに、前記気筒内の混合気を自着火により燃焼させる圧縮着火燃焼を行って前記エンジン本体を運転し、アクセルがオフの状態における前記エンジン本体の減速時に、前記燃料噴射弁からの燃料噴射を停止して燃料カットを実行し、該エンジン本体の回転数が所定値まで低下したときに該燃料噴射弁の燃料噴射を再開させるように構成されており、前記燃料カット中に、前記排気還流機構を作動させることにより排気ガスを前記気筒内に導入し、前記燃料噴射弁の燃料噴射を再開させるときには、前記排気還流機構を作動させつつ前記点火プラグを作動させて火花点火燃焼により前記エンジン本体を運転した後、前記圧縮着火燃焼による該エンジン本体の運転に移行するものである。ここで、「低負荷領域」は、運転領域を低負荷、中負荷及び高負荷の３つの領域に区分した場合の低負荷としてもよい。
【０００９】
この構成によれば、アクセルがオフの状態におけるエンジン本体の減速時に、燃料カットが実行され、エンジン回転数が所定値まで低下すると燃料噴射が再開される。そして、燃料噴射を再開させるときには、火花点火燃焼により運転した後に圧縮着火燃焼による運転に移行する。
【００１０】
それに加えて、燃料カット中は気筒内に排気ガスが導入される。これにより、燃料カットによる気筒内の温度低下、特に、燃料カット直後の気筒内の温度低下を抑制することができる。その後、燃料カットと排気ガスの導入とが継続されると、既燃ガスが新たに生成されないことから、気筒内の混合気に含まれる既燃ガスの割合が徐々に低下し、新気の割合が高くなっていく。その結果、燃料噴射を再開して火花点火燃焼を実行するときには、気筒内の新気の割合が高くなった状態となっている。
【００１１】
こうして、燃料カット直後の気筒内の温度低下を抑制し且つ、燃料噴射再開時には或る程度の新気量を確保することによって、火花点火燃焼の着火性を向上させることができる。
【００１２】
火花点火燃焼の着火性が向上すると、火花点火燃焼を適切に実行することができる。火花点火燃焼を実行するときも排気還流機構が作動しているので、火花点火燃焼による既燃ガスがＥＧＲガスとして気筒内に導入され、気筒内の温度を十分に上昇させることができる。その結果、火花点火燃焼に続いて実行される圧縮着火燃焼を安定的に行うことができる。
【００１３】
また、前記排気還流機構は、複数設けられ、複数の前記排気還流機構は、排気ガスを前記気筒内に導入する方式が互いに異なっており、前記制御器は、前記エンジン本体の運転状態が前記所定の低負荷領域にあるときに、前記排気還流機構の少なくとも１つを作動させることにより排気ガスを前記気筒内に導入しており、前記燃料カット中に作動させる前記排気還流機構を、前記所定の低負荷領域で作動させる前記排気還流機構と同じにしてもよい。
【００１４】
この構成によれば、燃料カットを実行する際には、圧縮着火燃焼を行う所定の低負荷領域と同じ方式の排気還流機構により気筒内に排気ガスを導入する。燃料カットを行うと、エンジン負荷が低下し、エンジンの運転状態は前記所定の低負荷領域内に移行する傾向にある。つまり、燃料カット後に燃料噴射を再開するときには、エンジンの運転状態が該所定の低負荷領域にあるときが多い。そこで、燃料カット中に作動させる排気還流機構を、該所定の低負荷領域で作動させる排気還流機構と同じにすることによって、燃料カットから燃料噴射再開に移行するときに、排気ガスを導入する方式が変わらないので、該移行時における排気ガスの導入を円滑に行うことができる。
【００１５】
さらに、前記火花点火式直噴エンジンは、前記気筒に開口する排気ポートを開閉する排気弁と、前記排気弁を駆動する動弁機構とをさらに備え、前記エンジン本体の運転状態が前記所定の低負荷領域にあるときに作動させる前記排気還流機構は、前記排気弁及び動弁機構であって、該排気弁を排気行程及び吸気行程のそれぞれにおいて開弁させる排気の二度開きを行うようにしてもよい。
【００１６】
排気の二度開きを採用することによって、既燃ガスの熱を気筒の温度維持に有効に活用することができる。つまり、排気還流の方式としては、吸気の二度開きや外部ＥＧＲもある。しかし、排気ポートは吸気ポートや外部のＥＧＲ通路に比べて高温なので、既燃ガスが気筒から一旦排気されたときに外部へ逃げる熱を低減することができる。
【００１７】
また、燃料噴射の再開後の吸気の充填効率の点からも排気の二度開きが有利である。つまり、例えば吸気の二度開きを採用すると、吸気ポート及びその周辺を既燃ガスにより加熱することになる。その結果、吸気の充填効率が悪化してしまう。それに対して、排気の二度開きであれば、既燃ガスによる吸気ポートの加熱が生じないので、充填効率の悪化を回避することができる。
【００１８】
また、前記排気還流機構は、複数設けられ、複数の前記排気還流機構は、排気ガスを前記気筒内に導入する方式が互いに異なっており、前記制御器は、前記燃料カット直前に前記排気還流機構の少なくとも１つを作動させていたときには、前記燃料カット中及び前記燃料噴射を再開させる際に作動させる前記排気還流機構を、前記燃料カット直前に作動させていた前記排気還流機構と同じにするようにしてもよい。
【００１９】
この構成によれば、燃料カットを実行する際及び燃料噴射を再開させる際には、燃料カット直前と同じ方式で気筒内に排気ガスを導入する。これにより、燃料カット前から燃料カットに移行するときに、排気ガスを導入する方式が変わらないので、該移行時における排気ガスの導入を円滑に行うことができる。
【発明の効果】
【００２０】
前記火花点火式直噴エンジンによれば、燃料カット中に気筒内に排気ガスを導入することによって、燃料カットによる気筒内の温度低下を可及的に低減しつつ燃料噴射再開時の気筒内の新気量を或る程度確保することができるので、燃料噴射再開時の火花点火燃焼の着火性を向上させることができる。
【図面の簡単な説明】
【００２１】
【図１】火花点火式直噴エンジンの構成を示す概略図である。
【図２】火花点火式直噴エンジンの制御に係るブロック図である。
【図３】燃焼室を拡大して示す断面図である。
【図４】エンジンの運転領域を例示する図である。
【図５】（ａ）ＣＩモードにおいて吸気行程噴射を行う場合の燃料噴射時期の一例と、それに伴うＣＩ燃焼の熱発生率の例示、（ｂ）ＣＩモードにおいて高圧リタード噴射を行う場合の燃料噴射時期の一例と、それに伴うＣＩ燃焼の熱発生率の例示、（ｃ）ＳＩモードにおいて高圧リタード噴射を行う場合の燃料噴射時期及び点火時期の一例と、それに伴うＳＩ燃焼の熱発生率の例示、（ｄ）ＳＩモードにおいて吸気行程噴射と高圧リタード噴射との分割噴射を行う場合の燃料噴射時期及び点火時期の一例と、それに伴うＳＩ燃焼の熱発生率の例示である。
【図６】高圧リタード噴射によるＳＩ燃焼の状態と、従来のＳＩ燃焼の状態とを比較する図である。
【図７】減速時燃料カットの処理を示すフローチャートである。
【図８】燃料カット前のエンジンの各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を示している。
【図９】燃料カット中のエンジンの各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を示している。
【図１０】燃料噴射再開時のエンジンの各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を示している。
【図１１】ＣＩモード移行後のエンジンの各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を示している。
【図１２】実施形態２に係るエンジンの、燃料カット前の各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を、（Ｅ）は、ＥＧＲ弁の開度を、（Ｆ）は、ＥＧＲクーラバイパス弁の開度を示している。
【図１３】実施形態２に係るエンジンの、燃料カット中の各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を、（Ｅ）は、ＥＧＲ弁の開度を、（Ｆ）は、ＥＧＲクーラバイパス弁の開度を示している。
【図１４】実施形態２に係るエンジンの、燃料噴射再開時の各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を、（Ｅ）は、ＥＧＲ弁の開度を、（Ｆ）は、ＥＧＲクーラバイパス弁の開度を示している。
【図１５】実施形態２に係るエンジンの、ＣＩモード移行後の各要素の状態を示す図であり、（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を、（Ｅ）は、ＥＧＲ弁の開度を、（Ｆ）は、ＥＧＲクーラバイパス弁の開度を示している。
【発明を実施するための形態】
【００２２】
以下、火花点火式直噴エンジンの実施形態を図面に基づいて説明する。以下の好ましい実施形態の説明は、例示である。
【００２３】
《実施形態１》
図１，２は、実施形態１に係るエンジン（エンジン本体）１の概略構成を示す。このエンジン１は、車両に搭載されると共に、少なくともガソリンを含有する燃料が供給される火花点火式ガソリンエンジンである。エンジン１は、複数の気筒１８が設けられたシリンダブロック１１（尚、図１では、１つの気筒のみを図示するが、例えば４つの気筒が直列に設けられる）と、このシリンダブロック１１上に配設されたシリンダヘッド１２と、シリンダブロック１１の下側に配設され、潤滑油が貯留されたオイルパン１３とを有している。各気筒１８内には、コンロッド１４２を介してクランクシャフト１５と連結されているピストン１４が往復動可能に嵌挿されている。ピストン１４の頂面には、図３に拡大して示すように、ディーゼルエンジンでのリエントラント型のようなキャビティ１４１が形成されている。キャビティ１４１は、ピストン１４が圧縮上死点付近に位置するときには、後述するインジェクタ６７に相対する。シリンダヘッド１２と、気筒１８と、キャビティ１４１を有するピストン１４とは、燃焼室１９を区画する。尚、燃焼室１９の形状は、図示する形状に限定されるものではない。例えばキャビティ１４１の形状、ピストン１４の頂面形状、及び、燃焼室１９の天井部の形状等は、適宜変更することが可能である。
【００２４】
このエンジン１は、理論熱効率の向上や、後述する圧縮着火燃焼の安定化等を目的として、１５以上の比較的高い幾何学的圧縮比に設定されている。尚、幾何学的圧縮比は１５以上２０以下程度の範囲で、適宜設定すればよい。
【００２５】
シリンダヘッド１２には、気筒１８毎に、吸気ポート１６及び排気ポート１７が形成されていると共に、これら吸気ポート１６及び排気ポート１７には、燃焼室１９側の開口を開閉する吸気弁２１及び排気弁２２がそれぞれ配設されている。
【００２６】
吸気弁２１及び排気弁２２をそれぞれ駆動する動弁系の内、排気側には、排気弁２２の作動モードを通常モードと特殊モードとに切り替える、例えば油圧作動式の可変機構（図２参照。以下、ＶＶＬ（Variable Valve Lift）と称する）７１が設けられている。ＶＶＬ７１は、その構成の詳細な図示は省略するが、カム山を一つ有する第１カムとカム山を２つ有する第２カムとの、カムプロファイルの異なる２種類のカム、及び、その第１及び第２カムのいずれか一方のカムの作動状態を選択的に排気弁２２に伝達するロストモーション機構を含んで構成されている。第１カムの作動状態を排気弁２２に伝達しているときには、排気弁２２は、排気行程中において一度だけ開弁される通常モードで作動するのに対し、第２カムの作動状態を排気弁２２に伝達しているときには、排気弁２２が、排気行程中において開弁すると共に、吸気行程中においても開弁するような、いわゆる排気の二度開きを行う特殊モードで作動する。ＶＶＬ７１の通常モードと特殊モードとは、エンジンの運転状態に応じて切り替えられる。具体的に、特殊モードは、内部ＥＧＲに係る制御の際に利用される。つまり、排気弁２２及びＶＶＬ７１は、排気還流機構の１つ、例えば、第１排気還流機構を構成する。また、ＶＶＬ７１が動弁機構を構成する。
【００２７】
以下の説明においては、ＶＶＬ７１を通常モードで作動させ、排気二度開きを行わないことを、「ＶＶＬ７１をオフにする」といい、ＶＶＬ７１を特殊モードで作動させ、排気二度開きを行うことを、「ＶＶＬ７１をオンにする」という場合がある。尚、こうした通常モードと特殊モードとの切り替えを可能にする上で、排気弁２２を電磁アクチュエータによって駆動する電磁駆動式の動弁系を採用してもよい。また、内部ＥＧＲの実行は、排気二度開きのみによって実現されるのではない。例えば吸気弁２１を二回開く、吸気の二度開きによって内部ＥＧＲ制御を行ってもよいし、排気行程乃至吸気行程において吸気弁２１及び排気弁２２の双方を閉じるネガティブオーバーラップ期間を設けて既燃ガスを気筒１８内に残留させる内部ＥＧＲ制御を行ってもよい。
【００２８】
ＶＶＬ７１を備えた排気側の動弁系に対し、吸気側には、図２に示すように、クランクシャフト１５に対する吸気カムシャフトの回転位相を変更することが可能な位相可変機構（以下、ＶＶＴ（Variable Valve Timing）と称する）７２と、吸気弁２１のリフト量を連続的に変更することが可能なリフト量可変機構（以下、ＣＶＶＬ（Continuously Variable Valve Lift）と称する）７３とが設けられている。ＶＶＴ７２は、液圧式、電磁式又は機械式の公知の構造を適宜採用すればよく、その詳細な構造についての図示は省略する。また、ＣＶＶＬ７３も、公知の種々の構造を適宜採用することが可能であり、その詳細な構造についての図示は省略する。ＶＶＴ７２及びＣＶＶＬ７３によって、吸気弁２１はその開弁タイミング及び閉弁タイミング、並びに、リフト量をそれぞれ変更することが可能である。
【００２９】
シリンダヘッド１２にはまた、気筒１８毎に、気筒１８内に燃料を直接噴射するインジェクタ６７が取り付けられている。インジェクタ６７は、図３に拡大して示すように、その噴口が燃焼室１９の天井面の中央部分から、その燃焼室１９内に臨むように配設されている。インジェクタ６７は、エンジン１の運転状態に応じて設定された噴射タイミングでかつ、エンジン１の運転状態に応じた量の燃料を、燃焼室１９内に直接噴射する。この例において、インジェクタ６７は、詳細な図示は省略するが、複数の噴口を有する多噴口型のインジェクタである。これによって、インジェクタ６７は、燃料噴霧が、燃焼室１９の中心位置から放射状に広がるように、燃料を噴射する。インジェクタ６７が燃料噴射弁を構成する。
【００３０】
図３に矢印で示すように、ピストン１４が圧縮上死点付近に位置するタイミングで、燃焼室１９の中央部分から放射状に広がるように噴射された燃料噴霧は、ピストン頂面に形成されたキャビティ１４１の壁面に沿って流動する。キャビティ１４１は、ピストン１４が圧縮上死点付近に位置するタイミングで噴射された燃料噴霧を、その内部に収めるように形成されている、と言い換えることが可能である。この多噴口型のインジェクタ６７とキャビティ１４１との組み合わせは、燃料の噴射後、混合気形成期間を短くすると共に、燃焼期間を短くする上で有利な構成である。尚、インジェクタ６７は、多噴口型のインジェクタに限定されず、外開弁タイプのインジェクタを採用してもよい。
【００３１】
図外の燃料タンクとインジェクタ６７との間は、燃料供給経路によって互いに連結されている。この燃料供給経路上には、燃料ポンプ６３とコモンレール６４とを含みかつ、インジェクタ６７に、比較的高い燃料圧力で燃料を供給することが可能な燃料供給システム６２が介設されている。燃料ポンプ６３は、燃料タンクからコモンレール６４に燃料を圧送し、コモンレール６４は圧送された燃料を、比較的高い燃料圧力で蓄えることが可能である。インジェクタ６７が開弁することによって、コモンレール６４に蓄えられている燃料がインジェクタ６７の噴口から噴射される。ここで、燃料ポンプ６３は、図示は省略するが、プランジャー式のポンプであり、エンジン１によって駆動される。このエンジン駆動のポンプを含む構成の燃料供給システム６２は、３０ＭＰａ以上の高い燃料圧力の燃料を、インジェクタ６７に供給することを可能にする。燃料圧力は、最大で１２０ＭＰａ程度に設定してもよい。インジェクタ６７に供給される燃料の圧力は、後述するように、エンジン１の運転状態に応じて変更される。尚、燃料供給システム６２は、この構成に限定されるものではない。
【００３２】
シリンダヘッド１２にはまた、図３に示すように、燃焼室１９内の混合気に点火する点火プラグ２５が取り付けられている。点火プラグ２５は、この例では、エンジン１の排気側から斜め下向きに延びるように、シリンダヘッド１２内を貫通して配置されている。図３に示すように、点火プラグ２５の先端は、圧縮上死点に位置するピストン１４のキャビティ１４１内に臨んで配置される。
【００３３】
エンジン１の一側面には、図１に示すように、各気筒１８の吸気ポート１６に連通するように吸気通路３０が接続されている。一方、エンジン１の他側面には、各気筒１８の燃焼室１９からの既燃ガス（排気ガス）を排出する排気通路４０が接続されている。
【００３４】
吸気通路３０の上流端部には、吸入空気を濾過するエアクリーナ３１が配設されている。また、吸気通路３０における下流端近傍には、サージタンク３３が配設されている。このサージタンク３３よりも下流側の吸気通路３０は、各気筒１８毎に分岐する独立通路とされ、これら各独立通路の下流端が各気筒１８の吸気ポート１６にそれぞれ接続されている。
【００３５】
吸気通路３０におけるエアクリーナ３１とサージタンク３３との間には、空気を冷却又は加熱する、水冷式のインタークーラ／ウォーマ３４と、各気筒１８への吸入空気量を調節するスロットル弁３６とが配設されている。吸気通路３０にはまた、インタークーラ／ウォーマ３４をバイパスするインタークーラバイパス通路３５が接続されており、このインタークーラバイパス通路３５には、当該通路３５を通過する空気流量を調整するためのインタークーラバイパス弁３５１が配設されている。インタークーラバイパス弁３５１の開度調整を通じて、インタークーラバイパス通路３５の通過流量とインタークーラ／ウォーマ３４の通過流量との割合を調整することにより、気筒１８に導入する新気の温度を調整することが可能である。
【００３６】
排気通路４０の上流側の部分は、各気筒１８毎に分岐して排気ポート１７の外側端に接続された独立通路と該各独立通路が集合する集合部とを有する排気マニホールドによって構成されている。この排気通路４０における排気マニホールドよりも下流側には、排気ガス中の有害成分を浄化する排気浄化装置として、直キャタリスト４１とアンダーフットキャタリスト４２とがそれぞれ接続されている。直キャタリスト４１及びアンダーフットキャタリスト４２はそれぞれ、筒状ケースと、そのケース内の流路に配置した、例えば三元触媒とを備えて構成されている。
【００３７】
吸気通路３０におけるサージタンク３３とスロットル弁３６との間の部分と、排気通路４０における直キャタリスト４１よりも上流側の部分とは、排気ガスの一部（ＥＧＲガス）を吸気通路３０に還流するためのＥＧＲ通路５０を介して接続されている。このＥＧＲ通路５０は、排気ガスをエンジン冷却水によって冷却するためのＥＧＲクーラ５２が配設された主通路５１と、ＥＧＲクーラ５２をバイパスするためのＥＧＲクーラバイパス通路５３と、を含んで構成されている。主通路５１には、排気ガスの吸気通路３０への還流量を調整するためのＥＧＲ弁５１１が配設され、ＥＧＲクーラバイパス通路５３には、ＥＧＲクーラバイパス通路５３を流通する排気ガスの流量を調整するためのＥＧＲクーラバイパス弁５３１が配設されている。これらＥＧＲ通路５０、主通路５１、ＥＧＲ弁５１１、ＥＧＲクーラ５２、ＥＧＲクーラバイパス通路５３及びＥＧＲクーラバイパス弁５３１が排気還流機構の１つ、例えば、第２排気還流機構を構成する。
【００３８】
また、エンジン１は、減速回生システム８０を備えている。減速回生システム８０は、エンジン１により駆動されて発電する発電機（オルタネータ）８１と、発電機８１が接続されたバッテリ８２とを有している。この発電機８１は、エンジン１の運転中は、エンジン１のクランク軸によりベルトを介して回転駆動される。ただし、発電機８１は、エンジン１により駆動されて発電する発電状態と、エンジン１により駆動されても発電しない非発電状態とを切換え可能に構成されている。発電機８１の発電電力は、バッテリ８２に蓄電されたり、車両電気負荷（図示省略）に供給されたりする。尚、バッテリ８２の代わりにキャパシタ等の蓄電装置を用いてもよい。
【００３９】
このように構成されたエンジン１は、パワートレイン・コントロール・モジュール（以下、ＰＣＭという）１０によって制御される。ＰＣＭ１０は、ＣＰＵ、メモリ、カウンタタイマ群、インターフェース及びこれらのユニットを接続するパスを有するマイクロプロセッサで構成されている。このＰＣＭ１０が制御器を構成する。
【００４０】
ＰＣＭ１０には、図１，２に示すように、各種のセンサＳＷ１〜ＳＷ１６の検出信号が入力される。この各種のセンサには、次のセンサが含まれる。すなわち、エアクリーナ３１の下流側で、新気の流量を検出するエアフローセンサＳＷ１及び新気の温度を検出する吸気温度センサＳＷ２、インタークーラ／ウォーマ３４の下流側に配置されかつ、インタークーラ／ウォーマ３４を通過した後の新気の温度を検出する、第２吸気温度センサＳＷ３、ＥＧＲ通路５０における吸気通路３０との接続部近傍に配置されかつ、外部ＥＧＲガスの温度を検出するＥＧＲガス温センサＳＷ４、吸気ポート１６に取り付けられかつ、気筒１８内に流入する直前の吸気の温度を検出する吸気ポート温度センサＳＷ５、シリンダヘッド１２に取り付けられかつ、気筒１８内の圧力を検出する筒内圧センサＳＷ６、排気通路４０におけるＥＧＲ通路５０の接続部近傍に配置されかつ、それぞれ排気温度及び排気圧力を検出する排気温センサＳＷ７及び排気圧センサＳＷ８、直キャタリスト４１の上流側に配置されかつ、排気中の酸素濃度を検出するリニアＯ２センサＳＷ９、直キャタリスト４１とアンダーフットキャタリスト４２との間に配置されかつ、排気中の酸素濃度を検出するラムダＯ２センサＳＷ１０、エンジン冷却水の温度を検出する水温センサＳＷ１１、クランクシャフト１５の回転角を検出するクランク角センサＳＷ１２、車両のアクセルペダル（図示省略）の操作量に対応したアクセル開度を検出するアクセル開度センサＳＷ１３、吸気側及び排気側のカム角センサＳＷ１４，ＳＷ１５、及び、燃料供給システム６２のコモンレール６４に取り付けられかつ、インジェクタ６７に供給する燃料圧力を検出する燃圧センサＳＷ１６である。
【００４１】
ＰＣＭ１０は、これらの検出信号に基づいて種々の演算を行うことによってエンジン１や車両の状態を判定し、これに応じてインジェクタ６７、点火プラグ２５、吸気弁側のＶＶＴ７２及びＣＶＶＬ７３、排気弁側のＶＶＬ７１、燃料供給システム６２、発電機８１並びに、各種の弁（スロットル弁３６、インタークーラバイパス弁３５１、ＥＧＲ弁５１１、及びＥＧＲクーラバイパス弁５３１）のアクチュエータへ制御信号を出力する。こうしてＰＣＭ１０は、エンジン１を運転する。
【００４２】
図４は、エンジン１の運転領域の一例を示している。このエンジン１は、燃費の向上や排気エミッション性能の向上を目的として、エンジン負荷が相対的に低い低負荷域では、点火プラグ２５による点火を行わずに、圧縮自己着火によって燃焼を行う圧縮着火燃焼を行う。しかしながら、エンジン１の負荷が高くなるに従って、圧縮着火燃焼では、燃焼が急峻になりすぎてしまい、例えば燃焼騒音等の問題を引き起こすことになる。そのため、このエンジン１では、エンジン負荷が相対的に高い高負荷域では、圧縮着火燃焼を止めて、点火プラグ２５を利用した火花点火燃焼に切り替える。このように、このエンジン１は、エンジン１の運転状態、特にエンジン１の負荷に応じて、圧縮着火燃焼を行うＣＩ（Compression Ignition）モードと、火花点火燃焼を行うＳＩ（Spark Ignition）モードとを切り替えるように構成されている。但し、モード切り替えの境界線は、図例に限定されるものではない。
【００４３】
ＣＩモードはさらに、エンジン負荷の高低に応じて３つの領域に分けられている。具体的に、ＣＩモードにおいて負荷が最も低い領域（１）では、圧縮着火燃焼の着火性及び安定性を高めるために、相対的に温度の高いＥＧＲガス（以下、ホットＥＧＲガスともいう）を気筒１８内に導入する。これは、ＶＶＬ７１をオンにして、排気弁２２を吸気行程中に開弁する排気の二度開きを行うことによる。ホットＥＧＲガスの導入は、気筒１８内の圧縮端温度を高め、軽負荷である領域（１）において、圧縮着火燃焼の着火性及び安定性を高める上で有利になる。領域（１）ではまた、図５（ａ）に示すように、少なくとも吸気行程から圧縮行程中期までの期間内において、インジェクタ６７が気筒１８内に燃料を噴射することにより、均質なリーン混合気を形成する。混合気の空気過剰率λは、例えば２．４以上に設定してもよく、こうすることで、ＲａｗＮＯｘの生成を抑制して、排気エミッション性能を高めることが可能になる。そうして、そのリーン混合気は、図５（ａ）に示すように、圧縮上死点付近において圧縮自己着火する。
【００４４】
詳細は後述するが、領域（１）における負荷の高い領域、具体的には、領域（１）と領域（２）との境界を含む領域では、少なくとも吸気行程から圧縮行程中期までの期間内において、気筒１８内に燃料を噴射するものの、混合気の空燃比を理論空燃比（λ≒１）に設定する。理論空燃比にすることにより、三元触媒が利用可能になると共に、ＳＩモードとＣＩモードとの間の切り替え時の制御が簡素化し、さらに、ＣＩモードを高負荷側へ拡大可能にすることにも寄与する。
【００４５】
ＣＩモードにおいて、領域（１）よりも負荷の高い領域（２）では、領域（１）の高負荷側と同様に、少なくとも吸気行程から圧縮行程中期までの期間内において、気筒１８内に燃料を噴射し（図５（ａ）参照）、均質な理論空燃比（λ≒１）の混合気を形成する。
【００４６】
領域（２）ではまた、エンジン負荷の上昇に伴い気筒１８内の温度が自然と高まることから、過早着火を回避するためにホットＥＧＲガス量を低下させる。これは、気筒１８内に導入する内部ＥＧＲガス量の調整による。
【００４７】
領域（２）ではさらに、相対的に温度の低いＥＧＲガス（以下、クールドＥＧＲガスともいう）を気筒１８内に導入する。こうして高温のホットＥＧＲガスと低温のクールドＥＧＲガスとを適宜の割合で気筒１８内に導入することにより、気筒１８内の圧縮端温度を適切にし、圧縮着火の着火性を確保しつつも急激な燃焼を回避して、圧縮着火燃焼の安定化を図る。尚、ホットＥＧＲガス及びクールドＥＧＲガスを合わせた、気筒１８内に導入されるＥＧＲガスの割合としてのＥＧＲ率は、混合気の空気過剰率をλ≒１に設定する条件下で可能な限り高いＥＧＲ率に設定される。従って、領域（２）においては、エンジン負荷の増大に伴い燃料噴射量が増大するから、ＥＧＲ率は次第に低下するようになる。
【００４８】
ＣＩモードとＳＩモードとの切り替え境界線を含む、ＣＩモードにおいて最も負荷の高い領域（３）では、気筒１８内の圧縮端温度がさらに高くなるため、領域（１）や領域（２）のように、吸気行程から圧縮行程中期までの期間内で気筒１８内に燃料を噴射してしまうと、過早着火等の異常燃焼が生じるようになる。一方、温度の低いクールドＥＧＲガスを大量に導入して気筒内の圧縮端温度を低下させようとすると、今度は、圧縮着火の着火性が悪化してしまう。つまり、気筒１８内の温度制御だけでは、圧縮着火燃焼を安定して行い得ないため、この領域（３）では、気筒１８内の温度制御に加えて、燃料噴射形態を工夫することによって過早着火等の異常燃焼を回避しつつ、圧縮着火燃焼の安定化を図る。具体的に、この燃料噴射形態は、従来と比較して大幅に高圧化した燃料圧力でもって、図５（ｂ）に示すように、少なくとも圧縮行程後期から膨張行程初期までの期間（以下、この期間をリタード期間と呼ぶ）内で、気筒１８内に燃料噴射を実行するものである。この特徴的な燃料噴射形態を、以下においては「高圧リタード噴射」又は単に「リタード噴射」と呼ぶ。このような高圧リタード噴射により、領域（３）での異常燃焼を回避しつつ、圧縮着火燃焼の安定化が図られる。この高圧リタード噴射に詳細については、後述する。
【００４９】
領域（３）では、領域（２）と同様に、高温のホットＥＧＲガスと低温のクールドＥＧＲガスとを適宜の割合で気筒１８内に導入する。このことにより、気筒１８内の圧縮端温度を適切にして圧縮着火燃焼の安定化を図る。
【００５０】
エンジン負荷の高低に応じて３つの領域に分けられたＣＩモードに対して、ＳＩモードは、エンジン回転数の高低に応じて、領域（４）と領域（５）との２つの領域に分けられている。領域（４）は、図例においては、エンジン１の運転領域を低速、高速の２つに区分したときの低速域に相当し、領域（５）は高速域に相当する。領域（４）と領域（５）との境界はまた、図４に示す運転領域において、負荷の高低に対して回転数方向に傾いているが、領域（４）と領域（５）との境界は図例に限定されるものではない。
【００５１】
領域（４）及び領域（５）のそれぞれにおいて、混合気は、領域（２）及び領域（３）と同等に、理論空燃比（λ≒１）に設定される。従って、混合気の空燃比は、ＣＩモードとＳＩモードとの境界を跨って理論空燃比（λ≒１）で一定にされる。これは、三元触媒の利用を可能にする。また、領域（４）及び領域（５）では、基本的にはスロットル弁３６を全開にする一方で、ＥＧＲ弁５１１の開度調整により、気筒１８内に導入する新気量及び外部ＥＧＲガス量を調整する。こうして気筒１８内に導入するガス割合を調整することは、ポンプ損失の低減と共に、大量のＥＧＲガスを気筒１８内に導入することにより、火花点火燃焼の燃焼温度が低く抑えられ冷却損失の低減も図られる。領域（４）及び領域（５）では、主にＥＧＲクーラ５２を通じて冷却した外部ＥＧＲガスを、気筒１８に導入する。このことによって、異常燃焼の回避に有利になると共に、Ｒａｗ ＮＯｘの生成を抑制するという利点もある。ＥＧＲ弁５１１の開度及びＥＧＲクーラバイパス弁５３１の開度は、エンジン負荷の増大に伴い減少していく。このとき、ＥＧＲ弁５１１の開度の方がＥＧＲクーラバイパス弁５３１の開度よりも相対的に大きく、つまり、クールドＥＧＲガスの方がホットＥＧＲガスよりも多い。そして、エンジン負荷の増大に伴い、ＥＧＲクーラバイパス弁５３１の方がＥＧＲ弁５１１よりも先に全閉状態となる。尚、全開負荷域では、ＥＧＲ弁５１１を閉弁することにより、外部ＥＧＲをゼロにする。
【００５２】
このエンジン１の幾何学的圧縮比は、前述の通り、１５以上（例えば１８）に設定されている。高い圧縮比は、圧縮端温度及び圧縮端圧力を高くするため、ＣＩモードの、特に低負荷の領域（例えば領域（１））では、圧縮着火燃焼の安定化に有利になる。一方で、この高圧縮比エンジン１は、高負荷域であるＳＩモードにおいては、過早着火やノッキングといった異常燃焼が生じやすくなるという問題がある。
【００５３】
そこでこのエンジン１では、ＳＩモードの領域（４）や領域（５）においては、前述した高圧リタード噴射を行うことにより、異常燃焼を回避するようにしている。より詳細には、領域（４）においては、３０ＭＰａ以上の高い燃料圧力でもって、図５（ｃ）に示すように、圧縮行程後期から膨張行程初期にかけてリタード期間内で、気筒１８内に燃料噴射を実行する高圧リタード噴射のみを行う。これに対し、領域（５）においては、図５（ｄ）に示すように、噴射する燃料の一部を、吸気弁２１が開弁している吸気行程期間内で気筒１８内に噴射すると共に、残りの燃料をリタード期間内で気筒１８内に噴射する。つまり、領域（５）では、燃料の分割噴射を行う。ここで、吸気弁２１が開弁している吸気行程期間とは、ピストン位置に基づいて定義した期間ではなく、吸気弁の開閉に基づいて定義した期間であり、ここで言う吸気行程は、ＶＶＴ７２やＣＶＶＬ７３によって変更される吸気弁２１の閉弁時期によって、ピストンが吸気下死点に到達した時点に対しずれる場合がある。
【００５４】
次に、図６を参照しながら、ＳＩモードにおける高圧リタード噴射について説明する。図６は、前述した高圧リタード噴射によるＳＩ燃焼（実線）と、吸気行程中に燃料噴射を実行する従来のＳＩ燃焼（破線）とにおける、熱発生率（上図）及び未燃混合気反応進行度（下図）の違いを比較する図である。図６の横軸はクランク角である。この比較の前提として、エンジン１の運転状態は共に高負荷の低速域（つまり、領域（４））であり、噴射する燃料量は、高圧リタード噴射によるＳＩ燃焼と従来のＳＩ燃焼との場合で互いに同じである。
【００５５】
先ず、従来のＳＩ燃焼では、吸気行程中に気筒１８内に所定量の燃料噴射を実行する（上図の破線）。気筒１８内では、その燃料の噴射後、ピストン１４が圧縮上死点に至るまでの間に、比較的均質な混合気が形成される。そして、この例では、圧縮上死点以降の、白丸で示す所定タイミングで点火が実行され、それによって燃焼が開始する。燃焼の開始後は、図６の上図に破線で示すように、熱発生率のピークを経て燃焼が終了する。燃料噴射の開始から燃焼の終了までの間が未燃混合気の反応可能時間（以下、単に反応可能時間という場合がある）に相当し、図６の下図に破線で示すように、この間に未燃混合気の反応は次第に進行する。同図における点線は、未燃混合気が着火に至る反応度である、着火しきい値を示しており、従来のＳＩ燃焼は、低速域であることと相俟って、反応可能時間が非常に長く、その間、未燃混合気の反応が進行し続けてしまうことから、点火の前後に未燃混合気の反応度が着火しきい値を超えてしまい、過早着火又はノッキングといった異常燃焼を引き起こす。
【００５６】
これに対し、高圧リタード噴射は反応可能時間の短縮を図り、そのことによって異常燃焼を回避することを目的とする。すなわち、反応可能時間は、図６にも示しているように、インジェクタ６７が燃料を噴射する期間（（１）噴射期間）と、噴射終了後、点火プラグ２５の周りに可燃混合気が形成されるまでの期間（（２）混合気形成期間）と、点火によって開始された燃焼が終了するまでの期間（（３）燃焼期間）と、を足し合わせた時間、つまり、（１）＋（２）＋（３）である。高圧リタード噴射は、噴射期間、混合気形成期間及び燃焼期間をそれぞれ短縮し、それによって、反応可能時間を短くする。このことについて、順に説明する。
【００５７】
先ず、高い燃料圧力は、単位時間当たりにインジェクタ６７から噴射される燃料量を相対的に多くする。このため、燃料噴射量を一定とした場合に、燃料圧力と燃料の噴射期間との関係は概ね、燃料圧力が低いほど噴射期間は長くなり、燃料圧力が高いほど噴射期間は短くなる。従って、燃料圧力が従来に比べて大幅に高く設定された高圧リタード噴射は、噴射期間を短縮する。
【００５８】
また、高い燃料圧力は、気筒１８内に噴射する燃料噴霧の微粒化に有利になると共に、燃料噴霧の飛翔距離を、より長くする。このため、燃料圧力と燃料蒸発時間との関係は概ね、燃料圧力が低いほど燃料蒸発時間は長くなり、燃料圧力が高いほど燃料蒸発時間は短くなる。また、燃料圧力と点火プラグ２５の周りに燃料噴霧が到達するまでの時間は概ね、燃料圧力が低いほど到達までの時間は長くなり、燃料圧力が高いほど到達までの時間は短くなる。混合気形成期間は、燃料蒸発時間と、点火プラグ２５の周りへの燃料噴霧到達時間とを足し合わせた時間であるから、燃料圧力が高いほど混合気形成期間は短くなる。従って、燃料圧力が従来に比べて大幅に高く設定された高圧リタード噴射は、燃料蒸発時間及び点火プラグ２５の周りへの燃料噴霧到達時間がそれぞれ短くなる結果、混合気形成期間を短縮する。これに対し、同図に白丸で示すように、従来の、低い燃料圧力での吸気行程噴射は、混合気形成期間が大幅に長くなる。尚、多噴口型のインジェクタ６７とキャビティ１４１との組み合わせは、ＳＩモードにおいては、燃料の噴射後、点火プラグ２５の周りに燃料噴霧が到達するまでの時間を短くする結果、混合気形成期間の短縮に有効である。
【００５９】
このように、噴射期間及び混合気形成期間を短縮することは、燃料の噴射タイミング、より正確には、噴射開始タイミングを、比較的遅いタイミングにすることを可能にする。そこで、高圧リタード噴射では、図６の上図に示すように、圧縮行程後期から膨張行程初期にかけてのリタード期間内に燃料噴射を行う。高い燃料圧力で気筒１８内に燃料を噴射することに伴い、その気筒内の乱れが強くなり、気筒１８内の乱れエネルギが高まるが、この高い乱れエネルギは、燃料噴射のタイミングが比較的遅いタイミングに設定されることと相俟って、燃焼期間の短縮に有利になる。
【００６０】
すなわち、燃料噴射をリタード期間内に行った場合、燃料圧力と燃焼期間内での乱流エネルギとの関係は概ね、燃料圧力が低いほど乱流エネルギが低くなり、燃料圧力が高いほど乱流エネルギは高くなる。ここで、仮に高い燃料圧力で気筒１８内に燃料を噴射するとしても、その噴射タイミングが吸気行程中にある場合は、点火タイミングまでの時間が長いことや、吸気行程後の圧縮行程において気筒１８内が圧縮されることに起因して、気筒１８内の乱れは減衰してしまう。その結果、吸気行程中に燃料噴射を行った場合、燃焼期間内での乱流エネルギは、燃料圧力の高低に拘わらず比較的低くなってしまう。
【００６１】
燃焼期間での乱流エネルギと燃焼期間との関係は概ね、乱流エネルギが低いほど燃焼期間が長くなり、乱流エネルギが高いほど燃焼期間が短くなる。従って、燃料圧力と燃焼期間との関係は、燃料圧力が低いほど燃焼期間は長くなり、燃料圧力が高いほど燃焼期間は短くなる。すなわち、高圧リタード噴射は、燃焼期間を短縮する。これに対し、従来の、低い燃料圧力での吸気行程噴射は、燃焼期間が長くなる。尚、多噴口型のインジェクタ６７は、気筒１８内の乱れエネルギの向上に有利であって、燃焼期間の短縮に有効であると共に、その多噴口型のインジェクタ６７とキャビティ１４１との組み合わせによって、燃料噴霧をキャビティ１４１内に収めることもまた、燃焼期間の短縮に有効である。
【００６２】
このように高圧リタード噴射は、噴射期間、混合気形成期間、及び、燃焼期間をそれぞれ短縮し、その結果、図６に示すように、燃料の噴射開始タイミングＳＯＩから燃焼終了時期θｅｎｄまでの、未燃混合気の反応可能時間を、従来の吸気行程中での燃料噴射の場合と比較して大幅に短くすることを可能にする。この反応可能時間を短縮する結果、図６の上段に示す図のように、従来の低い燃料圧力での吸気行程噴射では、白丸で示すように、燃焼終了時における未燃混合気の反応進行度が、着火しきい値を超えてしまい、異常燃焼が発生してしまうところ、高圧リタード噴射は、黒丸で示すように、燃焼終了時における未燃混合気の反応の進行を抑制し、異常燃焼を回避することが可能になる。尚、図６の上図における白丸と黒丸とで、点火タイミングは互いに同じタイミングに設定している。
【００６３】
燃料圧力は、例えば３０ＭＰａ以上に設定することによって、燃焼期間を効果的に短縮化することが可能である。また、３０ＭＰａ以上の燃料圧力は、噴射期間及び混合気形成期間も、それぞれ有効に短縮化することが可能である。尚、燃料圧力は、少なくともガソリンを含有する、使用燃料の性状に応じて適宜設定するのが好ましい。その上限値は、一例として、１２０ＭＰａとしてもよい。
【００６４】
高圧リタード噴射は、気筒１８内への燃料噴射の形態を工夫することによってＳＩモードにおける異常燃焼の発生を回避する。これとは異なり、異常燃焼の回避を目的として点火タイミングを遅角することが、従来から知られている。点火タイミングの遅角化は、未燃混合気の温度及び圧力の上昇を抑制することによって、その反応の進行を抑制する。しかしながら、点火タイミングの遅角化は熱効率及びトルクの低下を招くのに対し、高圧リタード噴射を行う場合は、燃料噴射の形態の工夫によって異常燃焼を回避する分、点火タイミングを進角させることが可能であるから、熱効率及びトルクが向上する。つまり、高圧リタード噴射は、異常燃焼を回避するだけでなく、その回避可能な分だけ、点火タイミングを進角することを可能にして、燃費の向上に有利になる。
【００６５】
以上説明したように、ＳＩモードでの高圧リタード噴射は、噴射期間、混合気形成期間及び燃焼期間をそれぞれ短縮することが可能であるが、ＣＩモードの領域（３）で行う高圧リタード噴射は、噴射期間及び混合気形成期間をそれぞれ短縮することが可能である。つまり、気筒１８内に高い燃料圧力で燃料を噴射することにより気筒１８内の乱れが強くなることで、微粒化した燃料のミキシング性が高まり、圧縮上死点付近の遅いタイミングで燃料を噴射しても、比較的均質な混合気を速やかに形成することが可能になるのである。
【００６６】
ＣＩモードでの高圧リタード噴射は、比較的負荷の高い領域において、圧縮上死点付近の遅いタイミングで燃料を噴射することにより、例えば圧縮行程期間中の過早着火を防止しつつ、前述の通り、概ね均質な混合気が速やかに形成されるため、圧縮上死点以降において、確実に圧縮着火させることが可能になる。そうして、モータリングにより気筒１８内の圧力が次第に低下する膨張行程期間において、圧縮着火燃焼が行われることで、燃焼が緩慢になり、圧縮着火燃焼に伴う気筒１８内の圧力上昇（ｄＰ／ｄｔ）が急峻になってしまうことが回避される。こうして、ＮＶＨの制約が解消される結果、ＣＩモードの領域が高負荷側に拡大する。
【００６７】
ＳＩモードの説明に戻り、前述の通り、ＳＩモードの高圧リタード噴射は、燃料噴射をリタード期間内に行うことによって未燃混合気の反応可能時間を短縮させるものの、この反応可能時間の短縮は、エンジン１の回転数が比較的低い低速域においては、クランク角変化に対する実時間が長いため、有効であるのに対し、エンジン１の回転数が比較的高い高速域においては、クランク角変化に対する実時間が短いため、それほど有効でない。逆に、リタード噴射では、燃料噴射時期を圧縮上死点付近に設定するため、圧縮行程においては、燃料を含まない筒内ガス、言い換えると比熱比の高い空気が圧縮されるようになる。その結果、高速域においては、気筒１８内の圧縮端温度が高くなり、この高い圧縮端温度がノッキングを招くようになる。そのため、領域（５）においてリタード噴射のみを行うときには、点火タイミングを遅角化して、ノッキングを回避しなければならない場合も起き得る。
【００６８】
そこで、図４に示すように、ＳＩモードにおいて相対的に回転数の高い領域（５）では、図５（ｄ）に示すように、噴射する燃料の一部を、吸気行程期間内で気筒１８内に噴射すると共に、残りの燃料をリタード期間内で気筒１８内に噴射をする。吸気行程噴射では、圧縮行程中の筒内ガス（つまり、燃料を含む混合気）の比熱比を下げ、それによって圧縮端温度を低く抑えることが可能である。こうして、圧縮端温度が低くなることで、ノッキングを抑制することが可能になるから、点火タイミングを進角させることが可能になる。
【００６９】
また、高圧リタード噴射を行うことにより、前述の通り、圧縮上死点付近の気筒１８内（燃焼室１９内）において乱れが強くなり、燃焼期間が短くなる。このこともまた、ノッキングの抑制に有利になり、点火タイミングをさらに進角させることが可能になる。そうして、領域（５）においては、吸気行程噴射と高圧リタード噴射との分割噴射を行うことにより、異常燃焼を回避しつつ、熱効率を向上させることが可能になる。
【００７０】
尚、領域（５）において燃焼期間を短縮させるために、高圧リタード噴射を行う代わりに多点点火構成を採用してもよい。つまり、複数の点火プラグを燃焼室内に臨んで配置し、領域（５）においては、吸気行程噴射を実行すると共に、その複数の点火プラグのそれぞれを駆動することにより、多点点火を行う。こうすることで、燃焼室１９内の複数の火種のそれぞれから火炎が広がるため、火炎の広がりが早くて燃焼期間が短くなる。その結果、高圧リタード噴射を採用した場合と同様に燃焼期間を短くして、熱効率の向上に有利になる。
【００７１】
このように、エンジン１は、各運転領域に応じた運転を行っている。
【００７２】
〈減速時燃料カット〉
また、エンジン１は、減速時にインジェクタ６７からの燃料供給を停止する、所謂、燃料カットを実行するように制御される。この減速時燃料カットにより、燃費向上を図ることができる。以下に、ＰＣＭ１０によるエンジン１の減速時燃料カットについて、図７〜１１を参照しながら詳しく説明する。図７は、減速時燃料カット（以下、単に「燃料カット」ともいう）の処理を示すフローチャートである。図８〜１１は、燃料カット制御中におけるエンジン１の各要素の状態を示す図である。図８〜１１の各図における（Ａ）図は、燃料噴射タイミング及び気筒１８内の圧力変化、並びに、火花点火を行う場合には火花点火タイミングを示しており、（Ｂ）図は、吸気弁２１のリフト量（破線）及び排気弁２２のリフト量（実線）を示しており、（Ｃ）図は、スロットル弁３６の開度を示しており、（Ｄ）図は、気筒１８内の成分を示している。
【００７３】
以下の説明では、前記領域（４）においてＳＩモードでエンジン１を運転している状態から燃料カットを行う場合について説明する。具体的には、エンジン１は、図８に示すような運転をしている。つまり、図８（Ｂ）に示すように、排気行程において排気弁２２が開かれ、吸気行程において吸気弁２１が開かれる。そして、図８（Ａ）に示すように、圧縮行程後期であって圧縮上死点前に高圧リタード噴射が行われ、圧縮上死点後に点火される。このとき、混合気の空燃比は理論空燃比（λ≒１）に設定しており、燃料噴射量に見合った新気量となるように、新気量及びＥＧＲガスの量が調整される。この例では、スロットル弁３６は、図８（Ｃ）に示すように、全開である。一方、ＥＧＲ弁５１１及びＥＧＲクーラバイパス弁５３１が全閉である。そのため、燃焼前後の気筒１８内の状態は、燃焼前はほとんどが新気の状態で、そこに燃料が噴射され、燃焼後はほとんどが既燃ガスになっている。
【００７４】
まず、ステップＳ１において、ＰＣＭ１０は、燃料カットの実行条件が成立したか否かを判定する。ここで、実行条件は、エンジン回転数が所定値（例えば、１５００ｒｐｍ）以上であって且つアクセル開度が零（即ち、アクセルがオフ）となることである。つまり、アクセル開度が零となることによりアクセルオフによるエンジン１の減速状態を判定することができるが、エンジン回転数が低すぎるときには、燃料カットを実行しない。尚、この実行条件は一例であり、これに限定されるものではない。実行条件が成立したときには、ＰＣＭ１０はステップＳ２へ進む一方、実行条件が成立しないときには、ＰＣＭ１０はステップＳ１を繰り返す。
【００７５】
ステップＳ２においては、ＰＣＭ１０は、燃料カットを実行する。すなわち、ＰＣＭ１０は、インジェクタ６７の燃料噴射を停止する。このとき、全気筒のインジェクタ６７の燃料噴射を一斉に停止する。その後、ＰＣＭ１０はステップＳ３へ進む。
【００７６】
尚、減速時には、ＰＣＭ１０は、発電機８１を発電状態とし、車両の運動エネルギを電気エネルギに変換し、電力として回収する。このとき、ＰＣＭ１０は、図９（Ｃ）に示すように、スロットル弁３６を全開にする。こうすることで、ポンプ損失を低減して、エンジン１の運動エネルギを電気エネルギに効率良く変換することができる。
【００７７】
続いて、ステップＳ３において、ＰＣＭ１０は、ＥＧＲガスを気筒１８内に導入する。具体的には、ＰＣＭ１０は、ＶＶＬ７１をオンにして、図９（Ｂ）に示すように、排気弁２２を吸気行程中に開弁する排気の二度開きを行う。これにより、気筒１８内にはホットＥＧＲガスが導入され、気筒１８内の温度低下が抑制される。特に、前述の如く、ポンプ損失を低減すべくスロットル弁３６を全開にしている場合には、気筒１８内への新気の導入量が多くなる傾向にあるが、ホットＥＧＲガスを導入することによって、気筒１８内への新気の導入量を抑制して、燃料カット直後における気筒１８内の温度低下を抑制することができる。
【００７８】
続いて、ステップＳ４において、ＰＣＭ１０は、燃料噴射の再開条件が成立したか否かを判定する。ここで、再開条件は、エンジン１が所定の運転状態となることであり、具体的には、エンジン回転数が実行条件のエンジン回転数よりも低い所定値（例えば、８００ｒｐｍ）以下となることである。この所定値は、アイドル回転数よりも少し高い値である。この再開条件を満たす運転状態は、前記領域（１）に含まれている。尚、この再開条件は一例であり、これに限定されるものではない。
【００７９】
通常、燃料カットが実行されると、エンジン負荷は急速に低下し、エンジン１の運転状態は前記領域（１）内に入る。そして、エンジン回転数は徐々に低下していく。その結果、エンジン１は、やがて前記所定の運転状態（エンジン回転数が所定値以下）となる。再開条件が成立したときには、ＰＣＭ１０はステップＳ５へ進む一方、再開条件が成立しないときには、ＰＣＭ１０はステップＳ４を繰り返す。
【００８０】
ステップＳ５においては、ＰＣＭ１０は、燃料噴射及び燃焼を再開する。詳しくは、ＰＣＭ１０は、図１０（Ａ）に示すように、ＳＩモードで燃焼を再開する。このとき、高圧リタード噴射が実行される。
【００８１】
また、ＰＣＭ１０は、図１０（Ｂ）に示すように、トルクに応じた低いリフト量となるように、ＣＶＶＬ７３を制御する。このとき、ＰＣＭ１０は、排気の二度開きによるＥＧＲガスの導入を継続している。そして、混合気の空気過剰率をλ≒１としている。尚、スロットル弁３６は、図１０（Ｃ）に示すように、全開となっている。本実施形態では、ＳＩモードは１サイクルのみで、その後、ＰＣＭ１０は、ステップＳ６に進む。
【００８２】
この燃料噴射の再開時には、ホットＥＧＲガスの導入により気筒１８の温度低下が抑制されていると共に、図１０（Ｄ）に示すように、ＥＧＲガス導入の継続により気筒１８内の新気の割合が増加しているので、ＳＩモードでの着火性を向上させることができる。すなわち、燃料カット中は燃焼が行われていないので、ＥＧＲガスが気筒１８内に再循環されるとしても、その中に含まれる既燃ガスの割合は徐々に低下していく。つまり、時間が経つにつれて、気筒１８内における既燃ガスの割合が減少し、新気の割合が増加していく。特に、自動変速機のロックアップ機構が作動している場合などは、燃料カットを実行しても、エンジン回転数は急激に低下することなく、徐々に低下していく。そのため、燃料カットを開始してから再開条件を満たすまでの時間が長く、ＥＧＲガスのほとんどが新気となり得る。
【００８３】
このように燃料カットが或る程度継続すると、気筒１８内には新気量が或る程度確保された状態となる。気筒１８内の新気量が増えると、火炎伝播が良くなるので、ＳＩモードでの着火性が向上する。
【００８４】
ただし、燃料噴射の再開時には気筒１８内における新気の割合が多くなっているので、吸気行程から圧縮行程中期までの期間内に燃料噴射を行うと、過早着火等の異常燃焼が生じる虞がある。そこで、高圧リタード噴射を実行する。これにより、異常燃焼を回避することができる。
【００８５】
このとき、ステップＳ３において実行しているホットＥＧＲガスの導入は、ＳＩモードにおいても継続される。つまり、ＳＩモードにおける火花点火燃焼後の既燃ガスは、ホットＥＧＲガスとして気筒１８内に還流してくる。その結果、火花点火燃焼後は、気筒１８内の温度が高温になる。ここで、新気よりもホットＥＧＲガスの導入量を多くするために、２度目の排気弁２２の開弁タイミングを吸気弁２１の開弁タイミングよりも先にしている。これにより、吸気行程初期に排気弁２２だけが開いた状態を作ることができるので、ホットＥＧＲガスを優先的に気筒１８内へ吸い込むことができる。
【００８６】
その後、ステップＳ６において、ＰＣＭ１０は、ＣＩモードに移行する。このとき、気筒１８内は、図１１（Ｄ）に示すように、先のステップＳ５における火花点火燃焼後の既燃ガスが気筒１８内に還流されている。そのため、気筒１８内は高温となっており、圧縮着火燃焼を実行することができる。尚、吸気弁２１は、図１１（Ｂ）に示すように、トルクに応じた低いリフト量となるように制御され、スロットル弁３６は、図１１（Ｃ）に示すように、全開となっている。また、図１１（Ｂ）に示すように、排気の二度開きが継続され、ホットＥＧＲガスが気筒１８内に導入されているので、作動ガス燃料比Ｇ／Ｆはリーンになる。混合気の空気過剰率λは、例えば２．４以上に設定される。
【００８７】
ただし、気筒１８内が高温となっているので、過早着火等の異常燃焼を回避すべく、図１１（Ａ）に示すように、高圧リタード噴射を実行する。これにより、異常燃焼を回避しつつ、圧縮着火燃焼の安定化が図られる。
【００８８】
こうして燃料カット制御が終了し、その後は、前述の運転領域に応じた運転モードでエンジン１が運転される。
【００８９】
したがって、実施形態１のエンジン１は、気筒１８を有するエンジン本体と、前記気筒１８内に燃料を噴射するように構成されたインジェクタ６７と、前記気筒１８内に臨んで配設され、該気筒１８内の混合気に点火するように構成された点火プラグ２５と、ＥＧＲガスを前記気筒１８内に導入するように構成された排気還流機構（排気弁２２及びＶＶＬ７１）と、少なくとも前記インジェクタ６７、前記点火プラグ２５及び前記排気還流機構を制御することによって前記エンジン本体を運転するように構成されたＰＣＭ１０とを備え、前記ＰＣＭ１０は、少なくとも前記エンジン本体の運転状態が所定の低負荷領域にあるときに、前記気筒１８内の混合気を自着火により燃焼させる圧縮着火燃焼を行って前記エンジン本体を運転し、アクセルがオフの状態における前記エンジン本体の減速時に、前記インジェクタ６７からの燃料噴射を停止して燃料カットを実行し、該エンジン本体の回転数が所定値まで低下したときに該インジェクタ６７の燃料噴射を再開させるように構成されており、前記燃料カット中に、前記排気還流機構を作動させることによりＥＧＲガスを前記気筒１８内に導入し、前記インジェクタ６７の燃料噴射を再開させるときには、前記排気還流機構を作動させつつ前記点火プラグ２５を作動させて火花点火燃焼により前記エンジン本体を運転した後、前記圧縮着火燃焼による該エンジン本体の運転に移行する。
【００９０】
この構成によれば、燃料カット中は気筒１８にＥＧＲガスが導入される。燃料カット中は燃焼が行われないため気筒１８内の温度が低下する傾向にあるが、ＥＧＲガスを導入することによって燃料カット直後の気筒１８内の温度低下を抑制することができる。
【００９１】
また、燃料カット及びＥＧＲガスの導入が継続されると、燃料カット中は既燃ガスが生成されないため、気筒１８内の混合気に含まれる既燃ガスの割合が徐々に低下し、新気の割合が増加していく。その結果、燃料噴射を再開し、火花点火燃焼を実行するときには、新気を或る程度確保することができる。これにより、火花点火燃焼の着火性を向上させることができる。また、前述の如く、ＥＧＲガスの導入により気筒１８内の温度低下を可及的に抑制していることも、火花点火燃焼の着火性を向上に寄与している。
【００９２】
火花点火燃焼の着火性を向上させることができると、火花点火燃焼により気筒１８内の温度を十分に上昇させることができ、その後に続く圧縮着火燃焼を安定的に実行することができる。
【００９３】
また、前記排気還流機構は、複数設けられ、複数の前記排気還流機構は、排気ガスを前記気筒１８内に導入する方式が互いに異なっており、前記ＰＣＭ１０は、前記エンジン本体の運転状態が前記所定の低負荷領域にあるときに、前記排気還流機構の少なくとも１つを作動させることによりＥＧＲガスを前記気筒１８内に導入しており、前記燃料カット中に作動させる前記排気還流機構を、前記所定の低負荷領域で作動させる前記排気還流機構と同じにする。
【００９４】
例えば、前記実施形態では、排気還流機構として、排気弁２２及びＶＶＬ７１を有し、内部ＥＧＲを行う第１排気還流機構と、ＥＧＲ通路５０、主通路５１、ＥＧＲ弁５１１、ＥＧＲクーラ５２、ＥＧＲクーラバイパス通路５３及びＥＧＲクーラバイパス弁５３１を有し、外部ＥＧＲを行う第２排気還流機構とがある。そして、燃料カット中の排気還流機構を、前記所定の低負荷領域で作動させる排気還流機構と同じにしている。つまり、内部ＥＧＲを行う第１排気還流機構で共通にしている。こうすることで、燃料カットから燃焼噴射再開に移行するときに、ＥＧＲの方式が変更されないので、ＥＧＲガスの導入を円滑に行うことができ、トルクショック等を抑制することができる。
【００９５】
尚、排気還流機構は、前記のものに限られるものではない。例えば、外部ＥＧＲを行う排気還流機構としては、ＥＧＲクーラバイパス通路を備えてないものであってもよい。また、内部ＥＧＲを行う排気還流機構としては、吸気弁と該吸気弁の動弁機構とを有し、吸気弁を排気行程及び吸気行程のそれぞれにおいて開弁させる吸気の二度開きを行うものであってもよく、吸気弁と排気弁と該吸気弁及び排気弁をそれぞれ駆動する動弁機構とを有し、排気行程乃至吸気行程において吸気弁及び排気弁の双方を閉じるネガティブオーバーラップ期間を設けるものであってもよい。
【００９６】
また、前記エンジン１は、前記気筒１８に開口する排気ポート１７を開閉する排気弁２２と、前記排気弁２２を駆動するＶＶＬ７１とをさらに備え、前記エンジン本体の運転状態が前記所定の低負荷領域にあるときに作動させる前記排気還流機構は、前記排気弁２２及びＶＶＬ７１であって、該排気弁２２を排気行程及び吸気行程のそれぞれにおいて開弁させる排気の二度開きを行うように構成されている。
【００９７】
つまり、このエンジン１では、燃料噴射の再開条件を満たすときのエンジン１の運転状態は、前記領域（１）に含まれ、領域（１）において作動させる排気還流機構は、排気弁２２及びＶＶＬ７１である。そして、燃料カットを実行するときの排気還流機構も、領域（１）と同じ、排気弁２２及びＶＶＬ７１である。このように排気の二度開きを採用することによって、既燃ガスの熱を気筒１８の温度維持に有効に活用することができる。つまり、外部ＥＧＲの場合は、既燃ガスがＥＧＲ通路５０や吸気ポート１６を流通し、吸気の二度開きの場合も同様に、既燃ガスが吸気ポート１６に還流される。それに対し、排気の二度開きの場合は、既燃ガスが排気ポート１７に一旦排出される。排気ポート１７はＥＧＲ通路５０や吸気ポート１６に比べて高温なので、既燃ガスから外部へ逃げる熱を低減することができる。さらには、燃料カットが継続すると、ＥＧＲガス中の既燃ガスの割合が減少して、ＥＧＲガスの温度が低下し、ＥＧＲガスの温度が排気ポート１７等よりも低くなる場合もある。ここで、吸気ポート１６、排気ポート１７及びＥＧＲ通路５０の中では排気ポート１７の温度が最も高いので、排気の二度開きを採用することによって、混合気の一部が気筒１８から排出され、ＥＧＲガスとして気筒１８内へ戻ってくる間により多くの熱を吸収して気筒１８内へ戻ってくるようになる。
【００９８】
さらに、燃料噴射の再開後の吸気の充填効率の点からも排気の二度開きが有利である。つまり、吸気の二度開きを採用すると、吸気ポート１６及びその周辺を既燃ガスにより加熱することになる。その結果、吸気の充填効率が悪化してしまう。それに対して、排気の二度開きであれば、既燃ガスによる吸気ポート１６の加熱が生じないので、充填効率の悪化を回避することができる。
【００９９】
《実施形態２》
続いて、実施形態２について説明する。
【０１００】
実施形態２は、燃料カット中のＥＧＲの方式が実施形態１と異なる。エンジン１の構成及び燃料カットの流れは、実施形態１と同様である。以下、図１２〜１５を参照しながら、実施形態２に係るエンジン１の減速時燃料カットについて説明する。図１２〜１５は、実施形態２に係るエンジンの各要素の状態を示す図である。図１２〜１５の各図における（Ａ）は、燃料噴射タイミング及び筒内の圧力変化、並びに、火花点火を行う場合には火花点火タイミングを、（Ｂ）は、吸気弁のリフト量（破線）及び排気弁のリフト量（実線）を、（Ｃ）は、スロットル弁の開度を、（Ｄ）は、気筒内の成分を、（Ｅ）は、ＥＧＲ弁の開度を、（Ｆ）は、ＥＧＲクーラバイパス弁の開度を示している。
【０１０１】
以下の説明では、前記領域（４）においてＳＩモードでエンジン１を運転している状態から燃料カットを行う場合について説明する。
【０１０２】
この説明においては、実行条件成立前は、エンジン１は領域（４）の比較的低負荷域で運転している。つまり、図１２（Ｅ），（Ｆ）に示すように、ＥＧＲ弁５１１及びＥＧＲクーラバイパス弁５３１のそれぞれが所定の開度で開かれている。そのため、気筒１８内は、図１２（Ｄ）に示すように、外部ＥＧＲによりＥＧＲガスが導入されている。
【０１０３】
そして、実行条件が成立し、燃料カットを実行した後、外部ＥＧＲによりＥＧＲガスを気筒１８内に導入する。この処理は、図７のステップＳ３に相当する。具体的には、ＰＣＭ１０は、図１３（Ｅ），（Ｆ）に示すように、ＥＧＲ弁５１１を全閉にし、ＥＧＲクーラバイパス弁５３１を全開にする。これにより、図１３（Ｄ）に示すように、気筒１８内にはホットＥＧＲガスが導入され、気筒１８内の温度低下が抑制される。このとき、実施形態１のような排気の二度開きは実行されない（図１３（Ｂ）参照）。
【０１０４】
尚、ＥＧＲ弁５１１及びＥＧＲクーラバイパス弁５３１は、前記の状態に限られるものではない。例えば、ＥＧＲ弁５１１を開いていてもよい。ＥＧＲ弁５１１を開くと、クールドＥＧＲガスが気筒１８内に導入される。クールドＥＧＲガスは新気に比べて高温であるため、ＥＧＲガスを気筒１８に導入しない構成、即ち、気筒１８内に新気だけが導入される構成と比較して、気筒１８内の温度の低減を抑制することができる。
【０１０５】
その後、再開条件が成立すると（ステップＳ４）、燃料供給及び燃焼を再開する（ステップＳ５）。詳しくは、ＰＣＭ１０は、図１４（Ａ）に示すように、ＳＩモードで燃焼を再開する。このとき、ＰＣＭ１０は、図１４（Ｅ），（Ｆ）に示すように、外部ＥＧＲによるＥＧＲガスの導入を継続している。
【０１０６】
そして、ＳＩモードを１サイクルだけ実行した後、ＣＩモードに移行する（ステップＳ６）。このとき、ＰＣＭ１０は、図１５（Ｅ），（Ｆ）に示すように、外部ＥＧＲによるＥＧＲガスの導入を継続している。
【０１０７】
したがって、実施形態２のエンジン１は、気筒１８を有するエンジン本体と、前記気筒１８内に燃料を噴射するように構成されたインジェクタ６７と、前記気筒１８内に臨んで配設され、該気筒１８内の混合気に点火するように構成された点火プラグ２５と、ＥＧＲガスを前記気筒１８内に導入するように構成された排気還流機構（ＥＧＲ通路５０、ＥＧＲ弁５１１及びＥＧＲクーラバイパス弁５３１）と、少なくとも前記インジェクタ６７、前記点火プラグ２５及び前記排気還流機構を制御することによって前記エンジン本体を運転するように構成されたＰＣＭ１０とを備え、前記ＰＣＭ１０は、少なくとも前記エンジン本体の運転状態が所定の低負荷領域にあるときに、前記気筒１８内の混合気を自着火により燃焼させる圧縮着火燃焼を行って前記エンジン本体を運転し、アクセルがオフの状態における前記エンジン本体の減速時に、前記インジェクタ６７からの燃料噴射を停止して燃料カットを実行し、該エンジン本体の回転数が所定値まで低下したときに該インジェクタ６７の燃料噴射を再開させるように構成されており、前記燃料カット中に、前記排気還流機構を作動させることによりＥＧＲガスを前記気筒１８内に導入し、前記インジェクタ６７の燃料噴射を再開させるときには、前記排気還流機構を作動させつつ前記点火プラグ２５を作動させて火花点火燃焼により前記エンジン本体を運転した後、前記圧縮着火燃焼による該エンジン本体の運転に移行する。
【０１０８】
この構成によれば、実施形態１と同様に、火花点火燃焼の着火性を向上させることができ、ひいては、その後に続く圧縮着火燃焼を安定的に実行することができる。
【０１０９】
また、前記排気還流機構は、複数設けられ、複数の前記排気還流機構は、排気ガスを前記気筒内に導入する方式が互いに異なっており、前記ＰＣＭ１０は、前記燃料カット直前に前記排気還流機構の少なくとも１つを作動させていたときには、前記燃料カット中及び前記燃料噴射を再開させる際に作動させる前記排気還流機構を、前記燃料カット直前に作動させていた前記排気還流機構と同じにする。
【０１１０】
例えば、前記実施形態では、排気還流機構として、排気弁２２及びＶＶＬ７１を有し、内部ＥＧＲを行う第１排気還流機構と、ＥＧＲ通路５０、主通路５１、ＥＧＲ弁５１１、ＥＧＲクーラ５２、ＥＧＲクーラバイパス通路５３及びＥＧＲクーラバイパス弁５３１を有し、外部ＥＧＲを行う第２排気還流機構とがある。そして、燃料カット中の排気還流機構を、燃料カット直前に作動させていた排気還流機構と同じにしている。つまり、燃料カット直前に第２排気還流機構を作動させていた場合には、燃料カット中及び燃料噴射を再開させる際にも第２排気還流機構を作動させる。こうすることで、燃料カット直前から燃料カットに移行するときに、ＥＧＲの方式が変更されないので、ＥＧＲガスの導入を円滑に行うことができ、トルクショック等を抑制することができる。尚、燃料カット直前に第１排気還流機構を作動させていた場合には、燃料カット中及び燃料噴射を再開させる際にも第１排気還流機構を作動させる。
《その他の実施形態》
前記実施形態１，２では、燃料カット時に全気筒のインジェクタ６７の燃料噴射を一斉に停止しているが、これに限られるものではない。例えば、まず、半分の気筒のインジェクタ６７の燃料噴射を停止し、続いて、残りの気筒のインジェクタ６７の燃料噴射を停止するように、インジェクタ６７の燃料噴射を段階的に停止させてもよい。これにより、燃料カット時のエンジン１のトルクショック等を緩和することができる。
【０１１１】
また、前記の説明では、エンジン１が領域（４）で運転している状態から燃料カットを実行するケースについて説明しているが、これに限られるものではない。例えば、エンジン１が領域（３）で運転している状態から燃料カットを実行してもよい。
【０１１２】
前記実施形態１，２では、燃料噴射再開時にＳＩモードを１サイクルのみ行って、ＣＩモードに移行しているが、これに限られるものではない。すなわち、ＳＩモードを数サイクル行ってから、ＣＩモードに移行してもよい。例えば、気筒１８内の温度を監視し、ＳＩモードの燃焼により気筒１８内の温度が所定値以上となったときにＣＩモードに移行するようにしてもよい。
【０１１３】
前記実施形態１では、再開条件を満たす運転状態においては排気の二度開きによってＥＧＲガスを導入するように構成されているが、これに限られるものではない。再開条件を満たす運転状態において、吸気の二度開きや外部ＥＧＲによってＥＧＲガスを導入するものであってもよい。その場合、燃料カット中のＥＧＲガスの導入も、再開条件を満たす運転状態におけるＥＧＲの方式に一致させる。
【０１１４】
前記実施形態２では、燃料カット直前に外部ＥＧＲによるＥＧＲガスの導入を実行している場合について説明したが、これに限られるものではない。燃料カット直前に、排気の二度開きや吸気の二度開き等の内部ＥＧＲを実行しているものであってもよい。その場合、燃料カット中のＥＧＲガスの導入も、燃料カット直前のＥＧＲの方式に一致させる。
【０１１５】
あるいは、燃料カット中のＥＧＲの方式を、再開条件を満たす運転状態におけるＥＧＲの方式とも、燃料カット直前のＥＧＲの方式とも異ならせてもよい。
【０１１６】
尚、前記実施形態１，２では、燃料カットを行った後に、ＥＧＲガスの導入を行っているが、これに限られるものではない。例えば、ＥＧＲガスの導入を行ってから、燃料カットを行ってもよいし、燃料カットとＥＧＲガスの導入を同時に行ってもよい。
【０１１７】
また、その他のステップについても、前述の作用効果を奏する限りにおいては、適時順序を変更したり、並列に処理したりしてもよい。
【０１１８】
また、吸気行程期間内における燃料噴射は、気筒１８内に設けたインジェクタ６７ではなく、別途、吸気ポート１６に設けたポートインジェクタを通じて、吸気ポート１６内に燃料を噴射してもよい。
【０１１９】
また、エンジン１は、直列４気筒エンジンに限らず、直列３気筒、直列２気筒、直列６気筒エンジン等に適用してもよい。また、Ｖ型６気筒、Ｖ型８気筒、水平対向４気筒等の各種のエンジンに適用可能である。
【０１２０】
さらに、前記の説明では、所定の運転領域において混合気の空燃比を理論空燃比（λ≒１）に設定しているが、混合気の空燃比をリーンに設定してもよい。但し、空燃比を理論空燃比に設定することは、三元触媒の利用が可能になるという利点がある。
【０１２１】
図４に示す運転領域は例示であり、これ以外にも様々な運転領域を設けることが可能である。
【０１２２】
また、高圧リタード噴射は、必要に応じて分割噴射にしてもよく、同様に、吸気行程噴射もまた、必要に応じて分割噴射にしてもよい。これらの分割噴射では、吸気行程と圧縮行程とのそれぞれにおいて燃料を噴射してもよい。
【０１２３】
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【産業上の利用可能性】
【０１２４】
以上説明したように、ここに開示された技術は、火花点火式直噴エンジンについて有用である。
【符号の説明】
【０１２５】
１      エンジン（エンジン本体）
１０    ＰＣＭ（制御器）
１７    排気ポート
１８    気筒
２２    排気弁（排気還流機構）
２５    点火プラグ
５０    ＥＧＲ通路（排気還流機構）
５１    主通路（排気還流機構）
５１１  ＥＧＲ弁（排気還流機構）
５２    ＥＧＲクーラ（排気還流機構）
５３    ＥＧＲクーラバイパス通路（排気還流機構）
５３１  ＥＧＲクーラバイパス弁（排気還流機構）
６７    インジェクタ（燃料噴射弁）
７１    ＶＶＬ（排気還流機構）
【図１】
2014051934.tif 000003
【図２】
2014051934.tif 000004
【図３】
2014051934.tif 000005
【図４】
2014051934.tif 000006
【図５】
2014051934.tif 000007
【図６】
2014051934.tif 000008
【図７】
2014051934.tif 000009
【図８】
2014051934.tif 000010
【図９】
2014051934.tif 000011
【図１０】
2014051934.tif 000012
【図１１】
2014051934.tif 000013
【図１２】
2014051934.tif 000014
【図１３】
2014051934.tif 000015
【図１４】
2014051934.tif 000016
【図１５】
2014051934.tif 000017